(57)【要約】【課題】狭額縁化を促進し、フレキシブル基板の配設スペースを確保することができる表示装置及びテレビジョン受信機を提供する。【解決手段】表示装置及びテレビジョン受信機は、表示パネルと、該表示パネルの周縁部の後面に接着され、前記表示パネルよりも外側に延出する支持部と、前記周縁部から延出したフレキシブル基板と、前記周縁部の前面に配置され、前記表示パネルよりも外側に延出するベゼル部と、前記支持部における前記表示パネルよりも外側に延出した部分に形成された貫通孔と、前記ベゼル部における前記表示パネルよりも外側に延出した部分から後側に突出し、前記フレキシブル基板を前記貫通孔に案内するガイド部とを備える。【選択図】図３
2019061120.tif 000002
【特許請求の範囲】
【請求項１】
表示パネルと、
該表示パネルの周縁部の後面に接着され、前記表示パネルよりも外側に延出する支持部と、
前記周縁部から延出したフレキシブル基板と、
前記周縁部の前面に配置され、前記表示パネルよりも外側に延出するベゼル部と、
前記支持部における前記表示パネルよりも外側に延出した部分に形成された貫通孔と、
前記ベゼル部における前記表示パネルよりも外側に延出した部分から後側に突出し、前記フレキシブル基板を前記貫通孔に案内するガイド部と
を備える
表示装置。
【請求項２】
前記ガイド部は、前記ベゼル部の一部分に設けられている
請求項１に記載の表示装置。
【請求項３】
前記貫通孔は、前記支持部における前記ガイド部に対応した部分に形成されている
請求項２に記載の表示装置。
【請求項４】
請求項１から３のいずれか一つに記載の表示装置と、
テレビジョン放送を受信する受信部と
を備え、
前記受信部にて受信したテレビジョン放送に基づいて、前記表示装置に映像を表示するようにしてある
テレビジョン受信機。
【発明の詳細な説明】
【技術分野】
【０００１】
本発明は、映像を表示する表示装置及びテレビジョン受信機に関する。
【背景技術】
【０００２】
従来、表示パネルと、該表示パネルの周縁部を支持するフレームと、該フレームの外側に配置されたベゼルとを備える表示装置が提案されている。ベゼルとフレームとの間に、表示パネルから延出したフレキシブル配線基板が配置されている（例えば特許文献１参照）。
【先行技術文献】
【特許文献】
【０００３】
【特許文献１】特開２００９―１４９００号公報
【発明の概要】
【発明が解決しようとする課題】
【０００４】
近年、狭額縁化が求められているところ、フレキシブル配線基板の配設スペースも確保しなければならない。
【０００５】
本発明は斯かる事情に鑑みてなされたものであり、狭額縁化を促進し、フレキシブル基板の配設スペースを確保することができる表示装置及びテレビジョン受信機を提供することを目的とする。
【課題を解決するための手段】
【０００６】
本発明に係る表示装置は、表示パネルと、該表示パネルの周縁部の後面に接着され、前記表示パネルよりも外側に延出する支持部と、前記周縁部から延出したフレキシブル基板と、前記周縁部の前面に配置され、前記表示パネルよりも外側に延出するベゼル部と、前記支持部における前記表示パネルよりも外側に延出した部分に形成された貫通孔と、前記ベゼル部における前記表示パネルよりも外側に延出した部分から後側に突出し、前記フレキシブル基板を前記貫通孔に案内するガイド部とを備える。
【０００７】
本発明に係る表示装置の前記ガイド部は、前記ベゼル部の一部分に設けられている。
【０００８】
本発明に係る表示装置の前記貫通孔は、前記支持部における前記ガイド部に対応した部分に形成されている。
【０００９】
本発明に係るテレビジョン受信機は、前述したいずれか一つに記載の表示装置と、テレビジョン放送を受信する受信部とを備え、前記受信部にて受信したテレビジョン放送に基づいて、前記表示装置に映像を表示するようにしてある。
【発明の効果】
【００１０】
本発明に係る表示装置及びテレビジョン受信機にあっては、支持部に貫通孔を形成し、該貫通孔に、ガイド部によって案内されたフレキシブル基板を挿入する。このため、フレキシブル基板を配設するスペースを、支持部の占有領域に確保し、狭額縁化を促進させることができる。
【図面の簡単な説明】
【００１１】
【図１】テレビジョン受信機の略示斜視図である。
【図２】テレビジョン受信機の略示部分拡大縦断面図である。
【図３】テレビジョン受信機の略示部分拡大平面断面図である。
【図４】テレビジョン受信機の略示部分拡大斜視断面図である。
【図５】上フレーム及びサイドベゼルを略示する分解斜視図である。
【図６】サイドベゼル、表示パネル及び上フレームの組み立て手順を説明する説明図である。
【発明を実施するための形態】
【００１２】
以下本発明を実施の形態に係るテレビジョン受信機１を示す図面に基づいて説明する。図１は、テレビジョン受信機１の略示斜視図、図２は、テレビジョン受信機１の略示部分拡大縦断面図である。なお図２において、カバー１４の記載を省略している。テレビジョン受信機１は、表示装置２、受信部３及び信号処理部４を備える。
【００１３】
受信部３は、表示装置２内に設けられ、アンテナ（図示略）から放送波（テレビジョン放送）を受信する。信号処理部４は、表示装置２に設けられ、符号化された放送波を復号するデコーダを備える。テレビジョン受信機１は、受信部３にて受信した放送波を信号処理部４で復号し、復号した情報に基づいて表示装置２に映像を表示する。なお受信部３及び信号処理部４を表示装置２の外部に設け、表示装置２に接続してもよい。
【００１４】
表示装置２は、液晶を有する表示パネル５と、該表示パネル５の周縁部を囲むフレーム７と、表示パネル５の周縁部に沿うベゼル６とを備える。表示パネル５は横長矩形をなし、表示パネル５の長辺は左右方向に延び、短辺は上下方向に延びている。表示パネル５の表示面は前側を向いている。
【００１５】
フレーム７は、上フレーム７１と、下フレーム７２とを備える。上フレーム７１は下側が開放された逆Ｕ字形をなす。下フレーム７２は棒状をなし、表示パネル５の下辺に沿って設けられている。下フレーム７２は表示パネル５の後側に配されている。
【００１６】
ベゼル６は、表示パネル５の上辺に沿って設けられた上ベゼル６１と、表示パネル５の左辺及び右辺夫々に沿って設けられたサイドベゼル６２と、表示パネル５の下辺に沿って設けられた下ベゼル６３とを備える。
【００１７】
支持部７１ｂは、表示パネル５の後面側に配置されており、両面テープ２０によって表示パネル５の後面に接着している。支持部７１ｂの後側には、複数の光学シート８が配されている。光学シート８は横長矩形をなし、光学シート８の長辺は左右方向に延び、短辺は上下方向に延びている。
【００１８】
光学シート８の後側には、拡散板９が配されている。拡散板９は横長矩形をなし、拡散板９の長辺は左右方向に延び、短辺は上下方向に延びている。拡散板９の後側に、複数の光源１２を支持するバックライトシャーシ１０が設けられている。バックライトシャーシ１０は後方に突出した深皿状をなす。バックライトシャーシ１０の前面に反射シート１１が取り付けられている。反射シート１１には貫通孔１１ａが設けられている。光源１２は、バックライトシャーシ１０の前面に取り付けられており、前記貫通孔１１ａに挿入され、反射シートよりも前側に突出している。光源１２は、例えば発光ダイオードである。
【００１９】
光源１２から出射された光は、拡散板９及び光学シート８を通って、表示パネル５に至る。反射シート１１は、光源１２からの光を前方に反射させる。
【００２０】
前記下フレーム７２の側面断面形状はＷ状をなし、下フレーム７２の前部７２ａは光学シート８と表示パネル５との間に挿入されている。下フレーム７２の前後方向中央部７２ｂは拡散板９の下部を支持し、前記中央部７２ｂと後部７２ｃとの間の凹部にバックライトシャーシ１０の下端部が挿入されている。表示パネル５の下縁部からフレキシブル基板を有するソースドライバ５ａが延出している。ソースドライバ５ａは、下フレーム７２の下側を回ってバックライトシャーシ１０の後側に延びている。
【００２１】
側面視Ｌ型の下ベゼル６３が表示パネル５の前面下縁部に取り付けられている。下ベゼル６３は、左右に延びた矩形板状の前部６３ａと、該前部６３ａの下辺から後方に突出した下部６３ｂとを備える。前部６３ａは、両面テープ２０によって表示パネル５の前面下縁部に接着されている。下部６３ｂは、下フレーム７２の下方に配されている。下ベゼル６３及び下フレーム７２は螺子（図示略）によって連結されている。前記ソースドライバ５ａは、下ベゼル６３の下部６３ｂと下フレーム７２との間を通っている。ソースドライバ５ａの後側はカバー１４（図１参照）によって覆われている。
【００２２】
図３は、テレビジョン受信機１の略示部分拡大平面断面図、図４は、テレビジョン受信機１の略示部分拡大斜視断面図、図５は、上フレーム７１及びサイドベゼル６２を略示する分解斜視図である。図２及び図３に示すように、上フレーム７１は、下側が開放された正面視逆Ｕ字形をなす周面部７１ａと、該周面部７１ａの内周面から直角に突出した支持部７１ｂとを備える。
【００２３】
図３〜図５に示すように、支持部７１ｂには前後に貫通した複数の貫通孔７１ｃが設けられている。貫通孔７１ｃは、後述するガイド部６２ｂに対応した部分に形成されている。支持部７１ｂは、表示パネル５と光学シート８との間に挿入され、表示パネル５を支持する。支持部７１ｂと表示パネル５とは両面テープ２１によって接着されている。光学シート８及び拡散板９は、支持部７１ｂとバックライトシャーシ１０との間に挟まれ、保持されている。
【００２４】
表示パネル５の右縁部及び左縁部、即ち表示パネル５の周縁部から、フレキシブル基板を有するゲートドライバ５ｂが延出している。表示パネル５の右縁部及び左縁部に、平面視Ｌ形をなすサイドベゼル６２が夫々設けられている。サイドベゼル６２は、細長い矩形板状のベゼル部６２ａと、該ベゼル部６２ａの長辺から直角に突出した複数の矩形板状のガイド部６２ｂとを備える。ベゼル部６２ａ及びガイド部６２ｂは一体的に形成されている。なお、ベゼル部６２ａ及びガイド部６２ｂを別体とし、ガイド部６２ｂをベゼル部６２ａに取り付けてもよい。
【００２５】
ガイド部６２ｂは、ベゼル部６２ａの長手方向に並んでいる。突出方向に平行なガイド部６２ｂの両辺に、段差が夫々設けられている。段差によって、ガイド部６２ｂにおけるベゼル部６２ａから離れた部分の幅（ベゼル部６２ａの長手方向におけるガイド部６２ｂの寸法）は、ガイド部６２ｂにおけるベゼル部６２ａに近い部分よりも小さくなっている。前記ベゼル部６２ａから離れた部分の幅は、貫通孔７１ｃの径よりも小さく、前記ベゼル部６２ａに近い部分の幅は、貫通孔７１ｃの径よりも大きい。
【００２６】
ベゼル部６２ａが、表示パネル５の前面縁部に対向し、ガイド部６２ｂが表示パネル５よりも外側に配置されるように、サイドベゼル６２は表示パネル５の前面縁部に沿って配置されている。ベゼル部６２ａは、両面テープ２０によって表示パネル５の前面縁部に接着されている。ベゼル部６２ａは、表示パネル５、光学シート８及び拡散板９よりも外側に延出している。ガイド部６２ｂは、ベゼル部６２ａにおける表示パネル５、光学シート８及び拡散板９よりも外側に延出した部分から後側に突出している。
【００２７】
ゲートドライバ５ｂは、ガイド部６２ｂと表示パネル５との間に配置されている。前述したように、ゲートドライバ５ｂはフレキシブル基板を有する。フレキシブル基板は表示パネル５の外側に向けて伸びる性質がある。そのため、ゲートドライバ５ｂはガイド部６２ｂに沿って曲げられ、後方に案内される。ガイド部６２ｂ及びゲートドライバ５ｂは、支持部７１ｂの貫通孔７１ｃに挿入され、周面部７１ａと、表示パネル５、光学シート８及び拡散板９との間に配される。ガイド部６２ｂの段差は貫通孔７１ｃの縁部に係止し、サイドベゼル６２は位置決めされる。
【００２８】
ガイド部６２ｂと周面部７１ａとの間にスペーサ１５が設けられている。スペーサ１５によって光漏れ及び埃の侵入を防止する。図２に示すように、上ベゼル６１は側面視Ｌ形の棒状をなす。上ベゼル６１は、左右に延びた矩形板状の前部６１ａと、該前部６１ａの上辺から後方に突出した突出部６１ｂとを備える。前部６１ａは両面テープ２０によって、表示パネル５の前面上縁部に接着されている。前部６１ａは表示パネル５よりも上方に延出している。前部６１ａの延出した部分から、突出部６１ｂは後方に突出している。突出部６１ｂは、支持部７１ｂよりも前側であって、周面部７１ａと表示パネル５との間に配置されている。
【００２９】
図６は、サイドベゼル６２、表示パネル５及び上フレーム７１の組み立て手順を説明する説明図である。まず、ゲートドライバ５ｂをサイドベゼル６２の内側に配置させて、ベゼル部６２ａを表示パネル５の前面左右縁部に対向させて（図６Ａ参照）、ベゼル部６２ａと表示パネル５とを両面テープ２０によって接着させる。
【００３０】
そして、表示パネル５の後面左右縁部と上フレーム７１の支持部７１ｂとを対向させ、且つゲートドライバ５ｂ及びガイド部６２ｂと、貫通孔７１ｃとを対向させ（図６Ｂ参照）、ゲートドライバ５ｂ及びガイド部６２ｂを貫通孔７１ｃに挿入し、表示パネル５の後面と支持部７１ｂとを両面テープ２１によって接着させる（図６Ｃ参照）。
【００３１】
実施の形態に係るテレビジョン受信機１にあっては、支持部７１ｂに貫通孔７１ｃを形成し、該貫通孔７１ｃに、ガイド部６２ｂによって案内されたフレキシブル基板を有するゲートドライバ５ｂを挿入する。このため、ゲートドライバ５ｂを配設するスペースを、支持部７１ｂの占有領域に確保し、狭額縁化を促進させることができる。またガイド部６２ｂ及びゲートドライバ５ｂを貫通孔７１ｃに挿入させることによって、ガイド部６２ｂを後方に延ばしても、ガイド部６２ｂとの干渉を避ける為に支持部７１ｂをより後方に配置させる必要がなく、表示装置２の前後寸法を短縮させることができる。
【００３２】
またガイド部６２ｂはベゼル部６２ａの一部分に設けられているので、ベゼル部６２ａの全体に設けられる場合に比べて、軽量化を図り、製造費用を削減させることができる。
【００３３】
また貫通孔７１ｃは、支持部７１ｂにおけるガイド部６２ｂに対応した部分に形成されているので、支持部７１ｂの強度低下を抑制させることができる。
【００３４】
光学シート８及び拡散板９は、支持部７１ｂとバックライトシャーシ１０との間に挟まれているので、貫通孔７１ｃが不要に大きい場合又は貫通孔７１ｃの数が不要に多い場合には、光学シート８及び拡散板９を保持する力が弱くなり易く、光学シート８及び拡散板９の位置ずれが生じやすくなる。ガイド部６２ｂに対応した部分にのみ、貫通孔７１ｃを形成することによって、光学シート８及び拡散板９を保持する力の低下を抑制し、光学シート８及び拡散板９の位置ずれを抑制することができる。
【００３５】
なお光源１２は冷陰極蛍光管を使用してもよく、その場合、冷陰極蛍光管は拡散板９とバックライトシャーシ１０の間に配置される。また導光板を使用してもよい。その場合、光源１２は導光板の周面に対向する。また両面テープ２０、２１に代えて、接着剤を使用してもよい。また貫通孔７１ｃの寸法を変更し、一つの貫通孔７１ｃに複数のガイド部６２ｂが挿入されるようにしてもよい。
【００３６】
今回開示した実施の形態は、全ての点で例示であって、制限的なものではないと考えられるべきである。各実施例にて記載されている技術的特徴は互いに組み合わせることができ、本発明の範囲は、特許請求の範囲内での全ての変更及び特許請求の範囲と均等の範囲が含まれることが意図される。
【００３７】
以上の本発明の実施の形態に関し、更に以下の事項を開示する。
【００３８】
表示装置２は、表示パネル５と、該表示パネル５の周縁部の後面に接着され、前記表示パネル５よりも外側に延出する支持部７１ｂと、前記周縁部から延出したフレキシブル基板と、前記周縁部の前面に配置され、前記表示パネル５よりも外側に延出するベゼル部６２ａと、前記支持部７１ｂにおける前記表示パネル５よりも外側に延出した部分に形成された貫通孔７１ｃと、前記ベゼル部６２ａにおける前記表示パネル５よりも外側に延出した部分から後側に突出し、前記フレキシブル基板を前記貫通孔７１ｃに案内するガイド部６２ｂとを備える。
【００３９】
表示装置２のガイド部６２ｂは、前記ベゼル部６２ａの一部分に設けられている。
【００４０】
表示装置２の貫通孔７１ｃは、前記支持部７１ｂにおける前記ガイド部６２ｂに対応した部分に形成されている。
【００４１】
テレビジョン受信機１は、上述したいずれかの表示装置２と、テレビジョン放送を受信する受信部３とを備え、前記受信部３にて受信したテレビジョン放送に基づいて、前記表示装置２に映像を表示する。
【符号の説明】
【００４２】
１  テレビジョン受信機
２  表示装置
３  受信部
６  ベゼル
６２  サイドベゼル
６２ａ  ベゼル部
６２ｂ  ガイド部
７  フレーム
７１  上フレーム
７１ａ  周面部
７１ｂ  支持部
【図１】
2019061120.tif 000003
【図２】
2019061120.tif 000004
【図３】
2019061120.tif 000005
【図４】
2019061120.tif 000006
【図５】
2019061120.tif 000007
【図６】
2019061120.tif 000008